(57)【要約】【課題】ねじを用いずにカバーを取付部材に取り付けることのできる光源ユニット及びそれを用いた照明器具を提供する。【解決手段】光源ユニット２は、取付部材２１と、カバー２３とを備える。取付部材２１は、長尺に形成され、ＬＥＤ２２１が実装される基板２２が取り付けられる。カバー２３は、ＬＥＤ２２１を覆うように取付部材２１に取り付けられる。取付部材２１は、その幅方向の両端に、カバー２３と対向する面が開口した溝状の取付部２１５をそれぞれ有する。そして、カバー２３は、その幅方向の両端に、取付部２１５に開口を通して挿入され且つ取付部２１５の内側で取付部材２１に保持される保持片２３３Ｂをそれぞれ有する。【選択図】図１
2015109217.tif 000002
【特許請求の範囲】
【請求項１】
１乃至複数の発光素子が実装される基板が取り付けられる長尺に形成された取付部材と、
前記取付部材の長手方向と同じ方向を長手方向とし、且つ前記取付部材の幅方向と同じ方向を幅方向とした状態で前記発光素子を覆うように前記取付部材に取り付けられるカバーとを備え、
前記取付部材は、その幅方向の両端に、前記カバーと対向する面が開口した溝状の取付部をそれぞれ有し、
前記カバーは、その幅方向の両端に、前記取付部に開口を通して挿入され且つ前記取付部の内側で前記取付部材に保持される保持片をそれぞれ有することを特徴とする光源ユニット。
【請求項２】
前記取付部は、内向きに突出する突部を有し、
前記突部は、前記取付部に挿入された前記保持片が引っ掛かるように構成されていることを特徴とする請求項１記載の光源ユニット。
【請求項３】
前記カバーは、その幅方向の寸法が前記取付部材の幅方向の寸法よりも大きくなるように形成されていることを特徴とする請求項１又は２記載の光源ユニット。
【請求項４】
請求項１乃至３の何れか１項に記載の前記光源ユニットと、前記光源ユニットを保持する器具本体とを備え、
前記取付部材は、前記器具本体に設けられた凹部に収納され、
前記取付部材は、その幅方向の寸法が、前記凹部の内壁に前記取付部が接近する又は接する寸法となるように形成されていることを特徴とする照明器具。
【発明の詳細な説明】
【技術分野】
【０００１】
本発明は、一般に光源ユニット、より詳細には発光素子を光源とする光源ユニット及びそれを用いた照明器具に関する。
【背景技術】
【０００２】
従来、発光ダイオード（ＬＥＤ）を光源とする照明器具が知られており、例えば特許文献１に開示されている。この特許文献１に記載の照明器具は、ＬＥＤが実装された基板と、基板が取り付けられる器具本体と、基板及びＬＥＤを覆う長尺状のカバーとを備える。カバーにおける長手方向の両端部は、器具本体に配置される端部把持体によりそれぞれ把持される。また、この照明器具は、安定器を含む点灯回路を設けられる器具筐体を備える。そして、この照明器具は、器具筐体に設けられたねじ穴と、端部把持体に設けられた貫通孔と、器具本体に設けられた貫通孔とを合わせてねじ止めすることにより構成される。
【先行技術文献】
【特許文献】
【０００３】
【特許文献１】特開２０１０−０７３６７０号公報
【発明の概要】
【発明が解決しようとする課題】
【０００４】
しかしながら、上記従来例では、カバーを器具本体（取付部材）に取り付ける際に、ねじを用いる必要がある。このため、カバーを取付部材に取り付ける作業が煩雑となり、施工性が悪いという問題があった。
【０００５】
本発明は、上記の点に鑑みて為されており、ねじを用いずにカバーを取付部材に取り付けることのできる光源ユニット及びそれを用いた照明器具を提供することを目的とする。
【課題を解決するための手段】
【０００６】
本発明の光源ユニットは、１乃至複数の発光素子が実装される基板が取り付けられる長尺に形成された取付部材と、前記取付部材の長手方向と同じ方向を長手方向とし、且つ前記取付部材の幅方向と同じ方向を幅方向とした状態で前記発光素子を覆うように前記取付部材に取り付けられるカバーとを備え、前記取付部材は、その幅方向の両端に、前記カバーと対向する面が開口した溝状の取付部をそれぞれ有し、前記カバーは、その幅方向の両端に、前記取付部に開口を通して挿入され且つ前記取付部の内側で前記取付部材に保持される保持片をそれぞれ有することを特徴とする。
【０００７】
この光源ユニットにおいて、前記取付部は、内向きに突出する突部を有し、前記突部は、前記取付部に挿入された前記保持片が引っ掛かるように構成されていることが好ましい。
【０００８】
この光源ユニットにおいて、前記カバーは、その幅方向の寸法が前記取付部材の幅方向の寸法よりも大きくなるように形成されていることが好ましい。
【０００９】
本発明の照明器具は、上記何れかの前記光源ユニットと、前記光源ユニットを保持する器具本体とを備え、前記取付部材は、前記器具本体に設けられた凹部に収納され、前記取付部材は、その幅方向の寸法が、前記凹部の内壁に前記取付部が接近する又は接する寸法となるように形成されていることを特徴とする。
【発明の効果】
【００１０】
本発明は、カバーの各保持片を取付部材の各取付部にそれぞれ挿入することで、各保持片を取付部材に保持させることができる。したがって、本発明では、ねじを用いずにカバーを取付部材に取り付けることができる。
【図面の簡単な説明】
【００１１】
【図１】図１Ａは、本発明の実施形態に係る光源ユニットの分解斜視図で、図１Ｂは、本発明の実施形態に係る照明器具の概略断面図である。
【図２】図２Ａは、本発明の実施形態に係る光源ユニットにおいて、取付部が突部を備える場合の概略断面図で、図２Ｂは、本発明の実施形態に係る光源ユニットにおいて、取付部が引掛け片を備える場合の概略断面図である。
【図３】本発明の実施形態に係る光源ユニットにおいて、取付部材の他の構成の概略斜視図である。
【図４】本発明の基本形態に係る照明器具の分解斜視図である。
【図５】本発明の基本形態に係る照明器具の概略斜視図である。
【図６】本発明の基本形態に係る照明器具の概略断面図である。
【発明を実施するための形態】
【００１２】
本発明の実施形態に係る光源ユニット２は、図１Ａ，図１Ｂに示すように、取付部材２１と、カバー２３とを備える。取付部材２１は、長尺に形成され、１乃至複数のＬＥＤ２２１が実装される基板２２が取り付けられる。カバー２３は、取付部材２１の長手方向と同じ方向を長手方向とし、且つ取付部材２１の幅方向と同じ方向を幅方向とした状態でＬＥＤ２２１を覆うように取付部材２１に取り付けられる。取付部材２１は、その幅方向の両端に、カバー２３と対向する面が開口した溝状の取付部２１５をそれぞれ有する。そして、カバー２３は、その幅方向の両端に、取付部２１５に開口を通して挿入され且つ取付部２１５の内側で取付部材２１に保持される保持片２３３Ｂをそれぞれ有する。
【００１３】
また、本発明の実施形態に係る照明器具Ａ１は、図１Ａ，図１Ｂに示すように、光源ユニット２と、光源ユニット２を保持する器具本体１とを備える。取付部材２１は、器具本体１に設けられた凹部１１に収納される。そして、取付部材２１は、その幅方向の寸法が、凹部１１の内壁に取付部２１５が接近する又は接する寸法となるように形成されている。
【００１４】
以下、本実施形態の光源ユニット２、及び本実施形態の照明器具Ａ１について詳細に説明するにあたって、先ず、本発明の基本形態に係る照明器具Ａ１０について説明する。但し、以下の説明では、図６における上下左右により上下左右を規定する。また、以下の説明では、図６中の紙面に垂直な方向を前後方向とし、紙面手前側を前、紙面奥側を後と規定する。なお、本基本形態に係る照明器具Ａ１０は、本実施形態の照明器具Ａ１と基本的な構成が共通であるので、共通する部位には同一の符号を付して説明する。
【００１５】
本基本形態の照明器具Ａ１０は、図４〜６に示すように天井直付け型の照明器具であり、光源ユニット２と、光源ユニット２を保持する器具本体１とを備える。器具本体１は、図４〜６に示すように、例えば板金に曲げ加工を施すことで、長尺且つ扁平な箱形に形成されている。また、器具本体１の上面（天井材１００との対向面）は開口している。器具本体１は、吊ボルト２００を用いて天井材１００に取り付けられる。器具本体１の下側（天井材１００と反対側）には、光源ユニット２を収納するための凹部１１が、器具本体１の長手方向に沿った全長にわたって設けられている。また、器具本体１の左右方向（幅方向）における凹部１１の両側には、凹部１１の開口端縁から延び出て、且つ外側に向かうほど上側（天井材１００側）に傾斜する傾斜部１２がそれぞれ設けられている。
【００１６】
凹部１１の底面部１１１には、図４に示すように、電源線（図示せず）を通すための孔１１１Ａが前後方向（凹部１１の長手方向）に沿って複数個（図４では５個）設けられている。また、凹部１１の底面部１１１には、吊ボルト２００を通すための孔１１１Ｂが、前後方向における両側にそれぞれ２個ずつ設けられている。さらに、器具本体１の前後方向における両端には、エンドキャップ１３がそれぞれ取り付けられている。
【００１７】
光源ユニット２は、図４に示すように、複数（図４では２枚）の基板２２と、取付部材２１と、カバー２３と、電源装置２４と、端子台ブロック２５とを有する。取付部材２１には、複数の基板２２が取り付けられる。カバー２３は、複数の基板２２を覆うようにして取付部材２１に取り付けられる。
【００１８】
基板２２は、前後方向に長い矩形板状に形成されたプリント配線板である。基板２２の一面（図４における下面）には、複数の発光ダイオード（発光素子）２２１が前後方向（基板２２の長手方向）に沿って実装されている。なお、以下の説明では、「発光ダイオード２２１」を「ＬＥＤ２２１」と称する。また、基板２２の一面（すなわち、基板２２における複数のＬＥＤ２２１が実装される面）には、複数のＬＥＤ２２１への給電路となる導体パターン（図示せず）が形成されている。導体パターンは、例えば銅箔により形成され、基板２２の前後方向に沿って設けられている。
【００１９】
一方（図４における右側）の基板２２の一端（右端）には、第１コネクタ２２２が実装されている。第１コネクタ２２２には、電線（図示せず）の一端が接続されており、この電線の他端を電源装置２４に接続することで、一方の基板２２の導体パターンと電源装置２４とが電気的に接続される。また、一方の基板２２における他方（図４における左側）の基板２２と対向する端には、第２コネクタ２２３が実装されている。この第２コネクタ２２３は、他方の基板２２における一方の基板２２と対向する端にも実装されている。そして、各基板２２それぞれの第２コネクタ２２３を互いに電気的に接続することで、一方の基板２２の導体パターンと、他方の基板２２の導体パターンとを電気的に接続することができる。
【００２０】
取付部材２１は、図４，６に示すように、例えば板金に曲げ加工を施すことで、底面部２１１と、一対の側面部２１２とを一体に備えた形状に形成されている。底面部２１１は、前後方向に沿って長尺な矩形板状に形成されている。各側面部２１２は、底面部２１１の左右方向（幅方向）における両端から上向きに突出する形で形成されている。底面部２１１の左右方向における中央部には、複数の基板２２を収納するための凹部２１１Ａが、底面部２１１の前後方向（長手方向）の全長にわたって設けられている。また、各側面部２１２の上端には、互いに離れる向きに傾斜する引掛け部２１２Ａが、それぞれ前後方向（長手方向）の全長にわたって設けられている（図６参照）。
【００２１】
凹部２１１Ａの底面２１１Ｂは、各基板２２が取り付けられる取付面となっている。また、凹部２１１Ａの左右両側（幅方向の両側）それぞれの側面２１１Ｃは、図６に示すように、底面２１１Ｂの左右方向における両端から下向きに突出し、且つ下側に向かうほど左右両側に広がる傾斜面となっている。凹部２１１Ａの底面２１１Ｂには、孔２１１Ｄが前後方向（凹部２１１Ａの長手方向）における一端（図４における右端）に設けられている。この孔２１１Ｄは、前述の電線を通すために用いられる。また、底面２１１Ｂの前後方向における中央部には、底面２１１Ｂの一部を上向きに突出させることで形成される凹部２１１Ｅが設けられている。この凹部２１１Ｅにより、各基板２２を取付部材２１に取り付けた状態で、第２コネクタ２２３と底面２１１Ｂとの間の絶縁距離が確保される。
【００２２】
カバー２３は、図４，６に示すように、拡散性を有する材料（例えば、乳白色のアクリル樹脂やポリカーボネート樹脂）により、上面（取付部材２１側の面）が開口した長尺な箱形に形成されている。また、カバー２３は、その左右方向（幅方向）における両端側から中央側に向かうほど下側への突出量が大きくなるような凸レンズ状の曲面部２３１を有している（図６参照）。また、カバー２３の左右方向（幅方向）の両端には、図６に示すように、それぞれ延出部２３２が設けられている。これら延出部２３２は、光源ユニット２を器具本体１に取り付けた状態で、上下方向において器具本体１の凹部１１の開口端縁と重なる。さらに、カバー２３の左右方向における各延出部２３２の内側には、上側（取付部材２１側）に突出する脚部２３３が、それぞれカバー２３の長手方向（前後方向）の全長にわたって設けられている。各脚部２３３の上端には、左右方向において内向きに突出する突起部２３３Ａがそれぞれ設けられている。
【００２３】
電源装置２４は、図４に示すように、基板２４１と、基板２４１が収納される収納ケース２４２とを有する。基板２４１は、前後方向に長い矩形板状に形成されたプリント配線板である。基板２４１には、少なくともＬＥＤ２２１の点灯電力を生成するために必要な回路部品２４１Ａ（例えば、トランスやダイオード、コンデンサなど）が実装されている。収納ケース２４２は、図４に示すように、下面（取付部材２１の底面部２１１との対向面）が開口し且つ前後方向に長い矩形箱状に形成されている。収納ケース２４２は、その開口が取付部材２１の底面部２１１と対向するようにして、例えばねじ止めにより取り付けられる。
【００２４】
端子台ブロック２５は、図４に示すように、矩形箱状に形成された端子台２５１と、端子台２５１を取付部材２１に取り付けるための取付金具２５２とを有する。端子台２５１には、天井材１００を通して室内側（下側）に露出する電源線が接続される。また、端子台２５１には、電源装置２４との間を電気的に接続する電線（図示せず）が接続される。端子台ブロック２５は、例えばねじ止めにより、取付部材２１に取り付けられる。
【００２５】
次に、光源ユニット２を組み立てる手順について説明する。先ず、作業者は、電源装置２４及び端子台ブロック２５をそれぞれ取付部材２１の上面側に取り付け、電源装置２４と端子台ブロック２５との間を電線により電気的に接続する。次に、作業者は、取付部材２１の凹部２１１Ａの底面２１１Ｂに各基板２２を固定する。このとき、各基板２２に設けられた第２コネクタ２２３同士を電気的に接続する。さらに、作業者は、基板２２の第１コネクタ２２２から導出する電線を、取付部材２１の孔２１１Ｄに通した後、その一端を電源装置２４に電気的に接続する。最後に、作業者は、開口を上向きにした状態でカバー２３を取付部材２１に組み付ける。このとき、各脚部２３３の突起部２３３Ａが、それぞれ取付部材２１の各引掛け部２１２Ａに引っ掛かることで、カバー２３が取付部材２１に取り付けられる。以上の手順により、光源ユニット２が組立てられる。
【００２６】
続けて、照明器具Ａ１０を施工する手順について説明する。先ず、作業者は、室内側に露出する電源線を器具本体１の孔１１１Ａに通し、さらに天井材１００を通して室内側に露出する吊ボルト２００を孔１１１Ｂに通す。その後、作業者は、吊ボルト２００にナット３００（図６参照）をねじ込むことで、器具本体１を天井材１００に固定する。次に、作業者は、電源線を端子台２５１に電気的に接続し、少なくとも電源装置２４及び端子台ブロック２５が凹部１１に収納されるようにして、光源ユニット２を器具本体１に取り付ける。以上の手順により、照明器具Ａ１０が天井材１００に施工される。
【００２７】
次に、本実施形態の光源ユニット２及び本実施形態の照明器具Ａ１について図１Ａ，図１Ｂを用いて説明する。なお、図１Ｂでは、各基板２２の図示を省略している。本実施形態の光源ユニット２では、取付部材２１は、引掛け部２１２Ａの代わりに取付部２１５を有している。取付部２１５は、取付部材２１の各側面部２１２の上端それぞれに設けられており、側面部２１２と、第１突片２１３と、第２突片２１４とにより構成されている。
【００２８】
第１突片２１３は、側面部２１２の上端から左右方向において外向きに突出するように形成されている。第２突片２１４は、第１突片２１３の外側の一端から下向きに突出するように形成されている。また、第２突片２１４には、図１Ｂ，図２Ａに示すように、その上下方向（長手方向）の中央に、左右方向において内向きに突出する突部２１４Ａが設けられている。第１突片２１３及び第２突片２１４は、何れも取付部材２１の前後方向（長手方向）の全長にわたって設けられている（図１Ａ参照）。これら第１突片２１３及び第２突片２１４と、側面部２１２とにより、下面（カバー２３と対向する面）が開口した溝状の取付部２１５が構成されている。
【００２９】
また、本実施形態の光源ユニット２では、カバー２３は、突起部２３３Ａの代わりに保持片２３３Ｂを有している。保持片２３３Ｂは、カバー２３の各脚部２３３の上端それぞれに設けられている。保持片２３３Ｂは、脚部２３３の上端から左右方向において外向きに傾斜して突出するように形成されている。
【００３０】
以下、本実施形態の光源ユニット２において、カバー２３を取付部材２１に取り付ける手順について説明する。先ず、作業者は、開口を上向きにした状態でカバー２３を取付部材２１に近付ける。次に、作業者は、カバー２３の各保持片２３３Ｂを取付部材２１の各取付部２１５にそれぞれ挿入する。すると、各取付部２１５の内側において、各保持片２３３Ｂが各第２突片２１４の突部２１４Ａに引っ掛かる。このため、各保持片２３３Ｂが、各取付部２１５の内側で取付部材２１に保持されるので、カバー２３が取付部材２１に取り付けられる（図１Ｂ，図２Ａ参照）。
【００３１】
上述のように、本実施形態の光源ユニット２では、カバー２３の各保持片２３３Ｂを取付部材２１の各取付部２１５にそれぞれ挿入することで、各保持片２３３Ｂを取付部材２１に保持させることができる。したがって、本実施形態の光源ユニット２では、ねじを用いずにカバー２３を取付部材２１に取り付けることができる。すなわち、本実施形態の光源ユニット２では、ねじ等の別部品を用意することなくカバー２３を取付部材２１に取り付けることができるので、従来例と比較して施工性が良く、また製造コストを低減することができる。
【００３２】
ここで、カバー２３は、種々の寸法に対応するために、押出成形により形成されることが一般的である。このようにカバー２３を押出成形により形成する場合、カバー２３の断面の形状を精度良く成形できない虞がある。一方、本実施形態の光源ユニット２では、取付部材２１の各取付部２１５にカバー２３の各保持片２３３Ｂをそれぞれ挿入することで、カバー２３を取付部材２１に取り付けている。したがって、本実施形態の光源ユニット２では、各保持片２３３Ｂが各取付部２１５により位置決めされるので、カバー２３の左右方向（幅方向）の寸法にバラつきがあったとしても、カバー２３の断面の形状を矯正することができる。
【００３３】
ところで、本基本形態の照明器具Ａ１０では、図６に示すように、カバー２３が取付部材２１に取り付けられると、カバー２３が取付部材２１の全体を覆ってしまう。したがって、本基本形態の照明器具Ａ１０では、取付部材２１と器具本体１との間にカバー２３が存在するため、取付部材２１から器具本体１へと熱が伝導し難いという問題がある。
【００３４】
一方、本実施形態の照明器具Ａ１では、取付部材２１の各取付部２１５の内側にカバー２３の各保持片２３３Ｂが挿入される構成となっているので、少なくとも各取付部２１５はカバー２３に覆われない。したがって、本実施形態の照明器具Ａ１では、取付部材２１の各取付部２１５と器具本体１との間にカバー２３が存在せず、取付部材２１が器具本体１と直接対向する構成となっている（図１Ｂ参照）。このため、本実施形態の照明器具Ａ１では、ＬＥＤ２２１や電源装置２４からの熱が、取付部材２１から器具本体１へと伝導し易い。
【００３５】
特に、本実施形態の照明器具Ａ１では、取付部材２１は、その左右方向（幅方向）の寸法が、器具本体１の凹部１１の内壁に取付部２１５が接近する又は接する寸法となるように形成されている。このため、図１Ａに示すように、取付部材２１が器具本体１の凹部１１に収納されると、取付部材２１の各取付部２１５が器具本体１の凹部１１の内壁に接近する（又は接する）。したがって、本実施形態の照明器具Ａ１では、ＬＥＤ２２１や電源装置２４からの熱を、取付部材２１を介して器具本体１へと効率良く伝導させることができる。なお、本実施形態の照明器具Ａ１において、取付部材２１を上記の寸法で形成するか否かは任意である。
【００３６】
なお、図２Ｂに示すように、突部２１４Ａの代わりに引掛け片２１４Ｂをカバー２３の各第２突片２１４に設けてもよい。引掛け片２１４Ｂは、第２突片２１４の一部の下端を左右方向の内向きに折り曲げることで形成される。引掛け片２１４Ｂは、突部２１４Ａと同様に、取付部材２１の前後方向において複数箇所に設けるのが望ましい。この引掛け片２１４Ｂに保持片２３３Ｂが引っ掛かることで、カバー２３が取付部材２１に保持される。
【００３７】
ここで、保持片２３３Ｂを取付部２１５の内側で保持させる構成は、保持片２３３Ｂを突部２１４Ａや引掛け片２１４Ｂに引っ掛ける構成に限定されず、他の構成であってもよい。すなわち、本実施形態の光源ユニット２において、突部２１４Ａや引掛け片２１４Ｂを設けるか否かは任意である。
【００３８】
なお、本実施形態の光源ユニット２では、図３に示すように、取付部材２１が固定片２１６を有していてもよい。固定片２１６は、取付部材２１の左右方向（幅方向）の両側にそれぞれ設けられている（図３では、一方のみ図示）。固定片２１６は、鉤状であって、左右方向において外向きに突出するように形成されている。固定片２１６は、左右方向の両側それぞれにおいて、取付部材２１の前後方向（長手方向）にわたって複数箇所に設けるのが望ましい。
【００３９】
この構成では、器具本体１において各固定片２１６と対応する位置に設けられた孔（図示せず）それぞれに各固定片２１６を挿入し、当該孔の内周縁に引っ掛けることで、取付部材２１を器具本体１に保持させることができる。なお、本実施形態の光源ユニット２において、取付部材２１に固定片２１６を設けるか否かは任意である。
【符号の説明】
【００４０】
１  器具本体
１１  凹部
２  光源ユニット
２１  取付部材
２１４Ａ  突部
２１５  取付部
２２  基板
２２１  ＬＥＤ（発光素子）
２３  カバー
２３３Ｂ  保持片
Ａ１  照明器具
【図１】
2015109217.tif 000003
【図２】
2015109217.tif 000004
【図３】
2015109217.tif 000005
【図４】
2015109217.tif 000006
【図５】
2015109217.tif 000007
【図６】
2015109217.tif 000008